(57)【特許請求の範囲】
【請求項１】
加圧気体により供給される飲料を収容する飲料用容器において、液体出口を有する飲料収容部と、前記飲料収容部の外周を空間を隔てて被覆する外壁部と、該空間と外部を連通する気体出口と、前記液体出口に、前記気体出口から前記空間内の加圧気体を前記飲料収容部内に供給又は停止を切り替える操作部とを有し、加圧気体供給時には下端が前記飲料収容部の内底近傍に延びる注出管を通して飲料収容部内の飲料を外部に注出可能なサーバーが取り付けられたことを特徴とする飲料用容器。
【請求項２】
前記空間に加圧気体が充填されていることを特徴とする請求項１記載の飲料用容器。
【請求項３】
前記外壁部が前記飲料収容部の底面と液体出口以外の全ての部分を被覆していることを特徴とする請求項１又は２記載の飲料用容器。
【請求項４】
前記飲料収容部と前記外壁部を連結する補強部を有することを特徴とする請求項１〜３のいずれか一項に記載の飲料用容器。
【発明の詳細な説明】
【技術分野】
【０００１】
本発明は、ビールなどの飲料を収容する飲料収容部と、炭酸ガス（ＣＯ２）などの加圧気体を充填した空間とを有し、サーバーを装着して加圧気体の圧力で飲料収容部から飲料を外部に注出可能な飲料用容器に関する。
【背景技術】
【０００２】
従来、ビールなどの飲料を収容し、サーバーを装着して加圧気体の圧力で飲料収容部から飲料を外部に注出可能な飲料用容器として、例えば、特許文献１，２に開示された容器が提案されている。
【０００３】
特許文献１には、ビール、ワイン、ミネラルウォーター或いはジュースのような飲料用とされるのが好ましい液体をＣＯ２のようなガスによる圧力で注ぐための容器装置であって、ガスおよび液体共用バルブと連結ヘッドとを備えた液体容器を含み、前記連結ヘッドが前記ガスおよび液体共用バルブに着脱可能に連結できて液体を前記液体容器から注ぎ出すと共に高圧容器の液化ガス貯槽から減圧バルブを通してガスを加える容器装置において、液化ガスのための少なくとも１つの高圧容器が前記液体容器と一体の構成要素を成すことを特徴とする容器装置が開示されている。
【０００４】
特許文献２には、飲用に適した温度に温度調整されたビール、ワイン、ソフトドリンクのような飲料物をたとえばＣＯ２圧縮ガスを用いて圧縮ガスサービングするための飲料物サーバーであって、釣鐘状の仕切り壁により底部側に配置される飲料物部分とカバー側に配置されるリング状の圧縮ガス部分とに分割されている有利には筒状の容器と、飲料物部分に設けられ、上昇管を備えている上部飲料物・ガス弁と、圧縮ガス部分に設けられたガス弁と、両弁を連通させている取り外し可能なタップヘッドと、それぞれ１つのフットリングおよびヘッドリングとを有する前記飲料物サーバーにおいて、容器の上部部分の軸線方向の長さが仕切り壁とほぼ同じ長さであり、且つ容器の下部部分の軸線方向の長さよりも短く、ほぼ同径の上部部分と下部部分と仕切り壁の互いに突合せになっている３つの縁が１つの共通の溶接継ぎ目で互いに結合されており、両容器部分が安全用破裂個所を備え、少なくともヘッドリングの外径部はどの部位においても容器の外径部を越えて突出しておらず、ヘッドリングが、圧力調整装置を組み込んだタップヘッドをガス弁に対しもっぱら位置正確に位置決めさせる第１の嵌合部位と、ヘッドリングをもっぱら位置正確にガス弁に位置決めさせる第２の嵌合部位とを有していることを特徴とする飲料物サーバーが開示されている。
【特許文献１】特許第２７７２０８９号公報
【特許文献２】特開２００３−１２８１９０号公報
【発明の開示】
【発明が解決しようとする課題】
【０００５】
しかしながら、前述した従来技術には、次のような問題があった。
特許文献１，２には、液化ガス用高圧容器を一体化した飲料容器が開示されているが、飲料収容部は剥き出しであり、保冷効果は全く期待できない。
【０００６】
また、特許文献１の液化ガス用高圧容器はコストが高く、特許文献２の容器は全体容積が大きくなってしまうという問題がある。
【０００７】
本発明は、前記事情に鑑みてなされ、加圧気体により供給されるビールなどの飲料を収容する飲料用容器において、飲料収容部の外周を外壁部により空間を隔てて被覆し、前記空間に加圧気体を充填することにより、保冷性に優れ、コンパクトな飲料用容器の提供を目的とする。
【課題を解決するための手段】
【０００８】
前記目的を達成するため、本発明は、加圧気体により供給される飲料を収容する飲料用容器において、液体出口を有する飲料収容部と、前記飲料収容部の外周を空間を隔てて被覆する外壁部と、該空間と外部を連通する気体出口と、前記液体出口に、前記気体出口から前記空間内の加圧気体を前記飲料収容部内に供給又は停止を切り替える操作部とを有し、加圧気体供給時には下端が前記飲料収容部の内底近傍に延びる注出管を通して飲料収容部内の飲料を外部に注出可能なサーバーが取り付けられたことを特徴とする飲料用容器を提供する。
【０００９】
本発明の飲料用容器において、前記外壁部が前記飲料収容部の底面と液体出口以外の全ての部分を被覆していることが好ましい。
【００１０】
本発明の飲料用容器において、前記飲料収容部と前記外壁部を連結する補強部を有することが好ましい。
【００１１】
本発明の飲料用容器において、前記空間に加圧気体が充填されていることが好ましい。
【発明の効果】
【００１２】
本発明の飲料用容器は、液体出口を有する飲料収容部と、前記飲料収容部の外周を空間を隔てて被覆する外壁部と、該空間と外部を連通する気体出口とを有し、前記空間に加圧気体が充填された構成とし、特に、飲料収容部の外周が断熱性に優れた空間で覆われた構成としたものなので、飲料収容部の保冷性が高められ、冷蔵庫等で飲料用容器を冷やした後、飲料用容器を室温雰囲気に長時間置いた場合でも中身の飲料の冷たさを維持することが可能となる。
【００１３】
また、本発明の飲料用容器は、飲料収容部の外周を空間を隔てて外壁部で被覆した構成なので、特許文献１，２に開示された従来技術の容器に比べ、構造が簡略なので、低コストで提供できる。
また、本発明の飲料用容器は、飲料収容部の外周を空間を隔てて外壁部で被覆した構成なので、コンパクトに作製でき、全体容積が比較的小さい飲料用容器を提供できる。
【発明を実施するための最良の形態】
【００１４】
以下、図面を参照して本発明の実施形態を説明する。
図１は、本発明の飲料用容器の第１実施形態を示す断面図である。本実施形態の飲料用容器１は、液体出口２を有する飲料収容部３と、前記飲料収容部３の外周を空間５を隔てて被覆する外壁部４と、該空間５と外部を連通する気体出口６とを有し、空間に加圧気体が充填されていることを主な特徴としている。
【００１５】
本実施形態の飲料用容器１において、外壁部４は、飲料収容部３の底面と液体出口２以外の全ての部分を被覆し、この外壁部４が設けられた部分が二重容器構造になっている。
この外壁部４及び飲料収容部３は、金属、例えば、ステンレス鋼、アルミニウム、アルミニウム合金、炭素鋼などの金属の板を所望形状に加工して構成されている。本実施形態の飲料用容器１の使用形態として、リターナブル容器としての使用形態を想定する場合には、これらの金属材料の中でも、強度が大きく、耐腐食性に優れたステンレス鋼が好ましい。
【００１６】
本実施形態の飲料用容器１において、飲料収容部３と外壁部４とは、複数箇所で補強部７により連結されている。図１の例示では、外壁部４の内周面から環状の補強部７を内側に向けて突出形成しておき、外壁部４内に飲料収容部３を嵌入し、底部の補強部７突端を飲料収容部３の底部外周面に気密に接合しているが、補強部７の構造及び飲料収容部３と外壁部４との接合構造は本例示にのみ限定されず、また気密性を確保するためにゴムパッキンやｏ−リングを介在させたり、底部を樹脂で被覆した構造とすることもできる。
【００１７】
本実施形態の飲料用容器１において、飲料収容部３の筒部形状は特に限定されず、平面視した筒部形状は、円形、楕円形、長円形、正方形や長方形などの角形などの形状とすることができる。また平面視した筒部形状を角形とする場合には、その隅部を丸めた形状とすることが好ましい。
【００１８】
本実施形態の飲料用容器１において、飲料収容部３の液体出口２には、飲料収容部３の内底近傍に延びる注出管９を有する蓋部８が取り付けられ、この蓋部８上端にて、後述するサーバー１０の取付時にサーバー側の注出管９と接続される構造になっているが、本発明において液体出口２の細部構造は特に限定されず、例えば、サーバー側に長い注出管を設ける場合には、円筒状に上方に延出した液体出口にスクリューキャップを螺着する構造としてもよい。
【００１９】
本実施形態の飲料用容器１において、気体出口６は、空間５に充填された加圧気体を必要な時に外部に連通させるものであればよく、特に限定されず、サーバー１０側の加圧気体供給路の先端構造と適合する組み合わせを適宜選択可能である。例えば、外壁部４の上部に連通孔が穿設され、ゴムなどの材料からなる栓体で連通孔を開閉可能に封じ、サーバー１０側の加圧気体供給路の先端を装着時に空間５内の加圧気体をその加圧気体供給路に供給する構造、などとすることができる。
【００２０】
本実施形態の飲料用容器１において、外壁部４の上部及び下部外面には、それぞれ外部保護材１５が装着され、飲料用容器１の搬送時や利用時等に受ける衝撃から飲料用容器１を保護する構造になっている。この外部保護材１５としては、優れた耐衝撃性が得られるように、比較的軟質の合成樹脂成形品や発泡樹脂成形品を用いることが好ましい。
【００２１】
この飲料用容器１の飲料収容部３に収容される飲料１４としては、ビール、ワイン、発泡酒などのアルコール飲料、ミネラルウォーターやジュースなどのソフトドリンクなどが挙げられる。これらの中でも、ビール（生ビール）が特に好ましい。
【００２２】
この飲料用容器１の空間５に充填される加圧気体としては、炭酸ガス（ＣＯ２）や窒素ガスなどの不活性ガスが挙げられ、特に炭酸ガスが好ましい。
【００２３】
図２は、本発明の飲料用容器の第２実施形態を示す断面図である。本実施形態の飲料用容器は、前述した第１実施形態の飲料用容器１にサーバー１０を取り付けた構成になっており、前述した第１実施形態の飲料用容器１と同じ構成要素には同一符号を付してある。
【００２４】
本実施形態では、前述した第１実施形態の飲料用容器１の液体出口２に、蓋体８上端の注出管９に接続されて外方に向けて延出するサーバー側の注出管９と、気体出口６に先端が接続され、空間５内の加圧気体を導出して蓋部８（又は他部）から飲料収容部３内に加圧気体を供給する加圧気体供給路１１と、この加圧気体供給路１１の途中に設けられた減圧弁１２と、注出管９の途中に設けられた切替弁１６と、この切替弁１６の飲料供給／停止を切り替えるように接続された操作レバー１３とを有するサーバー１０を取り付けた構成になっている。
【００２５】
この飲料用容器は、図１に示す飲料用容器１の飲料収容部３にビールなどの飲料１４を収容すると共に、空間５に炭酸ガスなどの加圧ガスを所定圧力となるように充填し、この状態で商品として出荷される。これを購入した消費者は、この飲料用容器１を保管し、冷蔵庫に入れて冷やした後、取り出して、その液体出口２にサーバー１０を取り付ける。すると加圧気体供給路１１、減圧弁１２を通して空間５内の加圧気体が飲料収容部３に供給されて内圧が高められる。
そして、注出管９の出口にグラスやジョッキなどを近付けておき、操作レバー１３を飲料注出方向に切り替えると、切替弁１６が開いて、内圧が高められた飲料収容部３内の飲料１４が、注出管９下端から注出管９内を通してその出口から注出される。注出停止時には、操作レバー１３を注出停止方向に切り替えることで、飲料１４の注出が停止する。
【００２６】
前述した各実施形態の飲料用容器１は、飲料収容部の外周が断熱性に優れた空間で覆われた構成としたものなので、飲料収容部の保冷性が高められ、冷蔵庫等で飲料用容器を冷やした後、飲料用容器を室温雰囲気に長時間置いた場合でも中身の飲料の冷たさを維持することが可能となる。
また、本発明の飲料用容器は、飲料収容部の外周を空間を隔てて外壁部で被覆した構成なので、特許文献１，２に開示された従来技術の容器に比べ、構造が簡略なので、低コストで提供できる。
【図面の簡単な説明】
【００２７】
【図１】本発明の飲料用容器の第１実施形態を示す断面図である。
【図２】本発明の飲料用容器の第２実施形態を示す断面図である。
【符号の説明】
【００２８】
１…飲料用容器、２…液体出口、３…飲料収容部、４…外壁部、５…空間、６…気体出口、７…補強部、８…蓋部、９…注出管、１０…サーバー、１１…加圧気体供給路、１２…減圧弁、１３…操作レバー、１４…飲料、１５…外部保護材、１６…切替弁。
【図１】
0004729023.tif 000002
【図２】
0004729023.tif 000003